(57)【要約】【課題】誤操作の誘発を抑制し、画面表示の拡大・縮小と表示画像の移動を一連の操作で行うことを可能とする表示制御装置を提供する。【解決手段】デジタルカメラのグリップ部２０１には前面タッチパネル１０６と背面タッチパネル１０７が配置され、システム制御部１０４は、背面タッチパネル１０７に対するタッチ点のスライドが検知された場合にはタッチ点のスライド方向とスライド量に応じて、表示装置１０５の表示画面２０２に表示されているカーソル２０５を移動させ、前面タッチパネル１０６に対するタッチ点のスライドと背面タッチパネル１０７に対するタッチ点のスライドが同時に検知された場合には前面タッチパネル１０６と背面タッチパネル１０７それぞれに対するタッチ点のスライド方向とスライド量に応じて表示画面２０２に表示されている画像の拡大・縮小を連続的に行う。【選択図】図４
2020027349.tif 000002
【特許請求の範囲】
【請求項１】
グリップ部と、
前記グリップ部に設けられた第１のタッチセンサと、
前記グリップ部において前記第１のタッチセンサとは異なる平面上に配置された第２のタッチセンサと、
前記第１のタッチセンサと前記第２のタッチセンサそれぞれに対するタッチ点を検知する検知手段と、
前記第２のタッチセンサに対するタッチ点のスライドが検知された場合、前記タッチ点のスライド方向とスライド量に応じて、表示装置の表示画面に表示されているアイテムを移動させ、前記第１のタッチセンサに対するタッチ点のスライドと前記第２のタッチセンサに対するタッチ点のスライドが同時に検知された場合に、前記第１のタッチセンサと前記第２のタッチセンサそれぞれに対するタッチ点のスライド方向とスライド量に応じて、前記表示画面に表示されている画像の拡大・縮小を連続的に行う制御手段と、を備えることを特徴とする表示制御装置。
【請求項２】
前記制御手段は、前記画像の拡大・縮小が行われた状態で前記第２のタッチセンサに対するタッチ点のスライドが検知された場合に、前記表示画面に表示する画像の拡大位置または縮小位置を、前記タッチ点のスライド方向とスライド量に応じて連続的に動かすことを特徴とする請求項１に記載の表示制御装置。
【請求項３】
前記制御手段は、前記第１のタッチセンサと前記第２のタッチセンサそれぞれに対するタッチ点が、前記第１のタッチセンサを操作する指と前記第２のタッチセンサを操作する指とがなす角を略二等分するベクトルの延伸方向に略同方向へスライドすることが検知された場合に、前記表示画面に表示されている画像の拡大を連続的に行うことを特徴とする請求項１又は２に記載の表示制御装置。
【請求項４】
前記制御手段は、前記第１のタッチセンサと前記第２のタッチセンサそれぞれに対するタッチ点が、前記第１のタッチセンサを操作する指と前記第２のタッチセンサを操作する指とがなす角を略二等分するベクトルから発散する方向へスライドすることが検知された場合に、前記表示画面に表示されている画像の拡大を連続的に行うことを特徴とする請求項１乃至３のいずれか１項に記載の表示制御装置。
【請求項５】
前記制御手段は、前記第１のタッチセンサと前記第２のタッチセンサそれぞれに対するタッチ点が、前記表示画面に表示されている画像の拡大を行うための方向とは逆の方向へスライドしたことが検知された場合に、前記表示画面に表示されている画像の縮小を連続的に行うことを特徴とする請求項４に記載の表示制御装置。
【請求項６】
前記第１のタッチセンサは、前記グリップ部を把持した手の人差し指が触れる部位に設けられ、
前記第２のタッチセンサは、前記グリップ部を把持した手の親指が触れる部位に設けられていることを特徴とする請求項１乃至４のいずれか１項に記載の表示制御装置。
【請求項７】
表示制御方法であって、
グリップ部に設けられた第１のタッチセンサに対するタッチ点を検知するステップと、
前記グリップ部において前記第１のタッチセンサとは異なる平面上に配置された第２のタッチセンサに対するタッチ点を検知するステップと、
前記第２のタッチセンサに対するタッチ点のスライドが検知された場合に、前記タッチ点のスライド方向とスライド量に応じて、表示装置の表示画面に表示されているアイテムを移動させるステップと、
前記第１のタッチセンサに対するタッチ点のスライドと前記第２のタッチセンサに対するタッチ点のスライドが同時に検知された場合に、前記第１のタッチセンサと前記第２のタッチセンサそれぞれに対するタッチ点のスライド方向に応じて、前記表示画面に表示されている画像の拡大・縮小を連続的に行うステップと、を有することを特徴とする表示制御方法。
【請求項８】
コンピュータを、請求項１乃至６のいずれか１項に記載された表示制御装置の各手段として機能させるためのプログラム。
【請求項９】
コンピュータを、請求項１乃至６のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置、表示装置の制御方法、プログラム及び記憶媒体に関し、特に、画面表示の連続的な拡大操作及び縮小操作に従って実行される表示制御に関する。
【背景技術】
【０００２】
従来から、デジタルカメラ等の撮像装置が備える液晶表示装置や電子ビューファインダ（ＥＶＦ）での撮影画像やライブビュー映像の拡大・縮小表示は、拡大・縮小ボタンを操作して段階的に行われている。また、拡大位置や縮小位置の変更、表示画像の移動は、例えば、十字キーを押下することによって段階的に行われている。
【０００３】
これに対して、液晶表示装置へタッチパネルを搭載することにより、タッチパネル上に２本の指をタッチさせてタッチ点間の距離を変化させる操作によって、画面表示を連続的に拡大・縮小させることが可能になっている。
【０００４】
ここで、ユーザ（撮影者）が撮像装置のグリップ部を片手で把持した状態で画面表示を連続的に拡大・縮小させる操作を行いたいときがある。しかし、通常、液晶表示装置は撮像装置の背面側に設けられるため、ユーザは、グリップ部から一旦手を放してからタッチ操作を行わなければならない。また、覗き込み式のＥＶＦを使用してライブ映像や再生画像（再生映像）を視認しているときの画面の縮小・拡大操作には、拡大・縮小ボタンや十字キー等の操作部材を用いる必要があり、その際には手探りで操作部材を探して操作を行わなければならない。
【０００５】
このような問題に対して、特許文献１は、表示機器の前面と背面にタッチセンサを配置し、背面のタッチパネルにタッチすることで画面処理の基準点を設定し、設定された基準点と前面のタッチセンサへの入力に基づいて画面表示処理を行う技術を提案している。
【先行技術文献】
【特許文献】
【０００６】
【特許文献１】特開２０１５−１０６１７０号公報
【発明の概要】
【発明が解決しようとする課題】
【０００７】
しかしながら、デジタルカメラ等の撮像装置では、撮像動作中に、拡大・縮小表示以外も、撮像条件変更のためのメニュー表示、表示されたメニューに対する選択操作等の多種多様な操作を行うことが必要となる。そのため、上記特許文献１に開示された技術を撮像装置に適用した場合、背面のタッチパネルに指をタッチさせるだけの操作では誤操作が誘発される懸念がある。また、拡大・縮小表示、表示画像の移動等には、上記特許文献１に開示された技術をそのまま適用することはできず、別の手法が求められる。
【０００８】
本発明は、誤操作の誘発を抑制して、画面表示の拡大・縮小と表示画像の移動を一連の操作で行うことを可能とする表示制御装置を提供することを目的とする。
【課題を解決するための手段】
【０００９】
本発明に係る表示制御装置は、グリップ部と、前記グリップ部に設けられた第１のタッチセンサと、前記グリップ部において前記第１のタッチセンサとは異なる平面上に配置された第２のタッチセンサと、前記第１のタッチセンサと前記第２のタッチセンサそれぞれに対するタッチ点を検知する検知手段と、前記第２のタッチセンサに対するタッチ点のスライドが検知された場合、前記タッチ点のスライド方向とスライド量に応じて、表示装置の表示画面に表示されているアイテムを移動させ、前記第１のタッチセンサに対するタッチ点のスライドと前記第２のタッチセンサに対するタッチ点のスライドが同時に検知された場合に、前記第１のタッチセンサと前記第２のタッチセンサそれぞれに対するタッチ点のスライド方向とスライド量に応じて、前記表示画面に表示されている画像の拡大・縮小を連続的に行う制御手段と、を備えることを特徴とする。
【発明の効果】
【００１０】
本発明によれば、誤操作の誘発を抑制して、画面表示の拡大・縮小と表示画像の移動を一連の操作で行うことができる。
【図面の簡単な説明】
【００１１】
【図１】本発明の実施形態に係るデジタルカメラの概略構成を説明する図である。
【図２】デジタルカメラの把持態様と表示画像の例を示す図である。
【図３】タッチパネルの操作態様とカーソルの表示態様を示す図である。
【図４】タッチパネルの操作態様と表示画像の例を示す図である。
【図５】タッチパネルの操作態様と表示画像の別の例を示す図である。
【図６】タッチパネルの操作態様と、操作の判定方法を説明する模式図である。
【図７】本発明の実施形態に係るカムコーダの構成と操作態様を説明する図である。
【図８】本発明の実施形態に係るヘッドマウントディスプレイの構成と操作態様を説明する図である。
【発明を実施するための形態】
【００１２】
以下に、本発明の実施形態について、添付図面を参照して詳細に説明する。ここでは、本発明に係る表示制御装置を撮像装置の一例であるデジタルカメラに適用して説明することとする。
【００１３】
図１は、本発明の実施形態に係るデジタルカメラの概略構成を説明する図である。デジタルカメラは、カメラ本体１０１と、カメラ本体１０１に装着された撮像レンズ１０２を備える。カメラ本体１０１は、撮像素子１０３、システム制御部１０４、表示装置１０５、前面タッチパネル１０６（第１のタッチセンサ）、背面タッチパネル１０７（第２のタッチセンサ）及び記憶装置１０８を備える。表示装置１０５は、液晶表示装置１０５ａと電子ファインダ１０５ｂ（以下「ＥＶＦ１０５ｂ」と記す）を含む。なお、液晶表示装置１０５ａに代えて、有機ＥＬ表示装置等の薄型ディスプレイを備えていてもよい。
【００１４】
撮像レンズ１０２は、被写体からの反射光を含む入射光を透過させて撮像素子１０３に結像させる複数のレンズ等で構成された撮像光学系を有する。撮像レンズ１０２の撮像光学系透過した光束は、カメラ本体１０１内に設けられた不図示のシャッタユニットを通過して撮像素子１０３へ導かれ、撮像素子１０３の撮像面に結像する。撮像素子１０３は、マトリクス状に配設された光電変換素子からなるＣＭＯＳセンサ等の画像センサであり、撮像レンズ１０２を通過して撮像面に結像した光学像は、所定時間、撮像素子１０３に露光されて電気信号に変換される。
【００１５】
ユーザ（撮影者）のレリーズ操作によって撮像指示信号がシステム制御部１０４へ出力されると、システム制御部１０４による制御に従って撮像素子１０３は光電変換素子のリセット操作を行い、電荷の蓄積を開始する。なお、レリーズ操作は、カメラ本体１０１に設けられた不図示のレリーズボタンの押下操作や、前面タッチパネル１０６に対する押下操作によって行うことができる。所定時間の露光が終了した後、シャッタユニットにより光路が遮光され、撮像素子１０３から蓄積された電荷（電気信号）が読み出される。
【００１６】
システム制御部１０４は、撮像素子１０３から読み出された電気信号からなる撮像情報に対して画像処理や補正処理、記憶画像への変換処理等を行い、システム制御部１０４が備える内部メモリ（不図示）又は記憶装置１０８へ保存する。記憶装置１０８は、システム制御部１０４が実行可能なプログラムやデジタルカメラの各種の設定条件等を格納したＥＥＰＲＯＭ、システム制御部１０４がプログラムを展開する作業領域や一時的なデータ保管領域を有するＲＡＭを含む。また、記憶装置１０８は、撮影画像（映像）データやシステム制御部１０４が実行可能なアプリケーションプログラムを格納するハードディスクドライブやＳＤカード等の半導体メモリカード等の記憶媒体を含む。
【００１７】
表示装置１０５は、デジタルカメラの各種の設定情報や設定メニュー、撮影条件、ライブビュー画像、記憶装置１０８に保存された撮影画像等を表示する。デジタルカメラが備える表示装置１０５としての液晶表示装置１０５ａ及びＥＶＦ１０５ｂはそれぞれ、公知のもので構わない。ユーザは、撮影時に表示装置１０５に表示される被写体像を確認しながら、構図や露出を調整することができる。
【００１８】
前面タッチパネル１０６と背面タッチパネル１０７はそれぞれ、タッチ操作に応じて所定の指示（指令）をシステム制御部１０４へ送信するための操作部材である。ユーザは、前面タッチパネル１０６と背面タッチパネル１０７へ指をタッチする操作（タッチオン）やタッチさせた指をタッチパネル上でスライドさせる操作（ドラッグ）を行うことで、システム制御部１０４への所定の機能の実行を指示することができる。なお、前面タッチパネル１０６は感圧式の構造となっており、タッチ操作後に更に押し込み動作を行うことで、レリーズ操作を行うことも可能となっている。
【００１９】
システム制御部１０４は、上述した各種の制御や演算処理に加えて、デジタルカメラを構成する各部の動作を制御することによってデジタルカメラの全体的な制御を行う。
【００２０】
次に、デジタルカメラでの前面タッチパネル１０６と背面タッチパネル１０７に対するタッチ操作と、タッチ操作に従って実行される表示制御について説明する。
【００２１】
図２（ａ）は、ユーザがカメラ本体１０１をグリップして、被写体に対してデジタルカメラを構えている様子を示す模式図である。ユーザは、カメラ本体１０１のグリップ部２０１を右手で把持しており、その状態で人差し指が位置する部位の近傍に前面タッチパネル１０６が配置されている。また、グリップ部２０１を右手で把持した状態で親指が位置する部位の近傍に背面タッチパネル１０７が配置されている。以下の説明では、人差し指と親指を用いて操作を行うことを前提として説明を行うが、これに限定されることなく、他の指を用いて操作を行ってもよく、例えば、中指と親指を用いた操作であってもよい。
【００２２】
図２（ｂ）は、表示装置１０５の表示画面２０２の例を示す図である。表示装置１０５である液晶表示装置１０５ａとＥＶＦ１０５ｂは、カメラ本体１０１の背面に配置されており、ユーザは、撮影構図や撮影後の再生画面を確認する際には表示画面２０２を確認することができる。なお、表示画面２０２は、ユーザがデジタルカメラの操作時に視認している表示画面であり、液晶表示装置１０５ａとＥＶＦ１０５ｂのどちらの表示画面であっても構わない。
【００２３】
表示画面２０２は、ライブビュー画像や再生画像の表示領域である画面領域２０３を有する。画面領域２０３の下部には、撮影に必要な各種の情報（絞り、シャッタスピード、ＩＳＯ感度、露出補正度合い等）を表示する情報表示部２０４が設けられている。画面領域２０３内には、カーソル２０５が表示されている。撮像時には、カーソル２０５は、例えば、ＡＦ測距箇所やＡＥ測光箇所を示すための指標として用いられる。つまり、カーソル２０５は、撮像操作の補助等を目的として画面領域２０３に表示されるアイテムの一例である。
【００２４】
図３（ａ）は、ユーザが画面領域２０３に表示されたカーソル２０５を動かす操作を行っている様子を示す模式図である。図３（ｂ）は、カーソル２０５が図２（ｂ）に示した位置から図３（ａ）に示した操作によって移動した後の表示画面２０２を示す図である。ユーザは、前面タッチパネル１０６又は背面タッチパネル１０７のいずれか一方を操作することにより、カーソル２０５の位置を画面領域２０３上で移動させることができるが、ここでは、背面タッチパネル１０７の操作で説明を行う。
【００２５】
ユーザは、背面タッチパネル１０７上のタッチ点Ｐ３０１に接地させた親指を、矢印Ｖ３０１に示すように背面タッチパネル１０７上で右下側へ動かす操作を行っている。親指の動きに合わせて背面タッチパネル１０７上でタッチ点Ｐ３０１がスライドし、そのスライド量に応じてカーソル２０５が画面領域２０３内を右下側へ連続的に移動する。その結果、カーソル２０５は、図２（ｂ）に示す位置から図３（ｂ）に示す位置へと移動している。このように、ユーザは、背面タッチパネル１０７に対する操作により、カーソル２０５を画面領域２０３上の任意の位置へ連続的に移動させることができる。なお、カーソル２０５の表示位置は、システム制御部１０４が配置可能と判断した位置に制限される。
【００２６】
カーソル２０５を移動させる操作は、タッチパネル上でのタッチ点のスライドをカーソル２０５の移動とみなすように設定されていればよい。よって、カーソル２０５の移動は、背面タッチパネル１０７に対する操作に限らず、前面タッチパネル１０６や他の操作部材の操作によって行うことができるようにしてもよい。
【００２７】
続いて、画面領域２０３に表示される画像を拡大・縮小するための、前面タッチパネル１０６と背面タッチパネル１０７に対する操作について説明する。図４（ａ）は、ユーザが表示画像の拡大操作を行っている様子を示す模式図である。図４（ｂ）は、図４（ａ）に示した操作により表示画像が拡大表示された状態を示す図である。図４（ｃ）は、図４（ｂ）で画面領域２０３に表示された画像（拡大画像）の元画像（全体画像）での位置、つまり、元画像のどの領域が拡大表示されているかを説明する図である。
【００２８】
図４（ａ）に示すように、ユーザは前面タッチパネル１０６に触れた人差し指と背面タッチパネル１０７に触れた親指を同時に動かすことによって、画面領域２０３に表示される画像の拡大操作を行うことができる。操作前の画面領域２０３の表示は、図２（ｂ）の通りであるとする。ユーザは、前面タッチパネル１０６上のタッチ点Ｐ４０１に接地させた人差し指を矢印Ｖ４０１で示す方向に動かしてタッチ点Ｐ４０１をスライドさせる第１のスライド操作を行う。また、ユーザは、第１のスライド操作と同時に、背面タッチパネル１０７上のタッチ点Ｐ４０２に接地させた親指を矢印Ｖ４０２で示す方向に動かしてタッチ点Ｐ４０２をスライドさせる第２のスライド操作を行う。
【００２９】
第１のスライド操作と第２のスライド操作により、画面領域２０３は、図２（ｂ）の全体表示状態から、図４（ｃ）に示す一部の領域４０３を図４（ｂ）に示すように拡大表示した部分的な拡大表示状態に遷移する。本実施形態では、部分的な拡大表示では、スライド操作時のカーソル２０５を中心として、親指と人差し指の各タッチ点のスライド量に応じて表示画像が縦横比率を維持して連続的に拡大されて変化するように構成されている。図４（ｂ）の表示状態では、カーソル２０５が表示されていないが、このような構成に限定されず、カーソル２０５が表示されるようにしてもよい。
【００３０】
なお、システム制御部１０４が、図３を参照して説明したカーソル２０５の移動を行うための操作モードと、図４を参照して説明した表示画像の拡大・縮小を行うための操作モードとを切り替えるための判別方法は、次の通りである。システム制御部１０４は、背面タッチパネル１０７上でのタッチ点のスライド中に所定の閾値以上のスライド量で前面タッチパネル１０６上でのタッチ点がスライドした場合、前面タッチパネル１０６と背面タッチパネル１０７に対する操作実行中であると判定する。システム制御部１０４は、この判定の結果に応じて表示画像の拡大・縮小の操作モードを設定する。一方、背面タッチパネル１０７上でのタッチ点のスライド中における前面タッチパネル１０６上でのタッチ点のスライド量が所定の閾値未満であれば、カーソル２０５の移動の操作モードを設定する。
【００３１】
次に、画面領域２０３における表示画像の拡大操作を行った後に、拡大位置を調整（変更）するための操作について説明する。図５（ａ）は、ユーザが表示画像の拡大画像の移動操作を行っている様子を示す模式図である。図５（ｂ）は、図５（ａ）に示した操作により拡大画像が移動した後の表示状態を示す図である。図５（ｃ）は、図５（ｂ）で画面領域２０３に表示された拡大画像の元画像での位置を説明する図である。
【００３２】
操作前の画面領域２０３には、図５（ｃ）に示す領域５０３が表示されているものとする。その状態で、図５（ａ）で示すように、ユーザは背面タッチパネル１０７上のタッチ点Ｐ５０２に接地させた親指を十字矢印Ｖ５０１で示す任意の方向に動かして、タッチ点Ｐ５０２をスライドさせる操作を行う。これにより図５（ｃ）に示すように、十字矢印Ｖ５０１に対応する十字矢印Ｖ５０１ａで示す任意の方向へ、画面領域２０３に表示される領域をタッチ点Ｐ５０２のスライド量に応じて連続的に移動させることができる。
【００３３】
図５（ａ）では、ユーザは、背面タッチパネル１０７上のタッチ点Ｐ５０２に接地した親指を矢印Ｖ５０２で示す右下方向に動かして、タッチ点Ｐ５０２をスライドさせている。すると、図５（ｃ）に示すように、画面領域２０３に表示されている領域５０３は、矢印Ｖ５０２に対応する矢印Ｖ５０２ａで示す右下方向へ、タッチ点Ｐ５０２のスライド量に応じて対応して連続的に移動する。その結果、画面領域２０３に表示される領域が、領域５０３から領域５０３ａへ移動する。これにより、図５（ｂ）に示すように、領域５０３ａが画面領域２０３に表示された状態となる。
【００３４】
なお、ユーザが、図４を参照して説明した第１のスライド操作と第２のスライド操作を図５（ｂ）の表示状態で再度同時に行った場合、システム制御部１０４は、拡大・縮小の操作モードに表示制御を切り替えて、表示画像を更に連続的に拡大表示する。一方、ユーザが矢印Ｖ４０１（図４（ａ）参照）の逆方向にタッチ点Ｐ４０１をスライドさせると共に矢印Ｖ４０２（図４（ａ）参照）の逆方向にタッチ点Ｐ４０２をスライドさせる操作を行うと、画面領域２０３に表示されている画像が連続的に縮小表示される。
【００３５】
また、図５を参照して説明した拡大表示状態での表示位置の移動操作について、図５（ａ）には前面タッチパネル１０６に人差し指が接地している状態を示しているが、前面タッチパネル１０６へ指が接地している必要はない。ユーザが、図４（ａ）に示すように前面タッチパネル１０６と背面タッチパネル１０７に指を接地させた状態から、背面タッチパネル１０７には指を接地したまま、前面タッチパネル１０６から一旦指を離して、前面タッチパネル１０６に再タッチしたとする。この場合、システム制御部１０４は、表示画像の拡大・縮小の操作モードを解除して、画面領域２０３での表示を拡大・縮小操作前の画面に戻す。画面領域２０３における表示画像の縮小操作を行った後に縮小位置を調整するための操作は、上述の拡大位置を調整するための操作に準ずるため、説明を省略する。
【００３６】
次に、拡大・縮小表示を行うための前面タッチパネル１０６と背面タッチパネル１０７に対するスライド操作について、より詳細に説明する。特に、前面タッチパネル１０６と背面タッチパネル１０７に対して同時にスライド操作が行われた場合に、それらのスライド操作を拡大操作と判定するか縮小操作と判定するかの定義について、図６を参照して説明する。
【００３７】
図６（ａ）は、人差し指と親指による、１枚の平面タッチパネルの表示画面６０１に対するピンチアウト操作を示す図である。ピンチアウト操作は、人差し指と親指のタッチ点Ｐ６０２，Ｐ６０３間の距離（タッチ点間距離Ｌ）を広げるように人差し指と親指をスライドさせることにより、表示を拡大する操作である。
【００３８】
なお、タッチ点Ｐ６０２，Ｐ６０３はそれぞれ、一定の面積を有している。よって、システム制御部１０４は、タッチ点Ｐ６０２，Ｐ６０３それぞれの重心座標間の相対距離をタッチ点間距離Ｌが増加した場合に拡大操作と判断して、表示画像の拡大表示制御を行う。逆に、タッチ点間距離Ｌが減少した場合には、縮小操作と判断して、表示画像の縮小表示制御を行う。
【００３９】
１枚の平面タッチパネルに対する操作が拡大処理か縮小処理かの判別は、タッチ点間距離Ｌの増減に基づいて容易に行うことができる。これに対して、一平面上にない２枚の平面タッチパネルへの同時操作については、タッチ点間距離Ｌを単純に計算することはできず、よって、タッチ点間距離Ｌの増減に基づいて拡大操作か縮小操作かを判別することはできない。そこで、本実施形態では、一平面上にない２枚の平面タッチパネルのそれぞれに指が接地している場合、タッチ点間距離の変化ではなく、各平面タッチパネルでの各タッチ点のスライド方向とスライド量の検知結果に基づいて拡大操作か縮小操作かの判別を行う。つまり、２つタッチ点それぞれのスライドが、（１）同時に、（２）特定の方向に、（３）規定量以上か、の３つの条件を検知した結果に基づいて、拡大操作か縮小操作かを判別する。
【００４０】
図６（ｂ），（ｃ）は、一平面にない２つの平面タッチパネルの一方に右手の人差し指が接地し他方に親指が接地している場合の異なる動作を示している。人差し指と親指の付け根を起点として人差し指と親指のなす角を略二等分するベクトルを伸ばした線を、便宜的に、軸６１０と定義する。
【００４１】
図６（ｂ）は、親指と人差し指で、図中に破線６０９で示すような棒状のものを抓むように触れている状態を想定して描かれている。このような状態で１つの平面タッチパネル上で画像拡大を行う操作を行う場合の１つの動作は、直観的には、人差し指と親指の先端部を軸６１０の延伸方向に沿って略同方向に動かす動作である。この場合、平面タッチパネルに対する２つのタッチ点も軸６１０の延伸方向に沿って略同方向に移動する。つまり、人差し指は矢印Ｖ６０５の方向に動かされ、親指は矢印Ｖ６０６の方向に動かされる。なお、例えば、右手で棒状のグリップを握った状態で人差し指を動かして操作を行う場合にも、人差し指と親指は同様の動作を行う。
【００４２】
図６（ｂ）に示した右手の状態で１つの平面タッチパネル上で画像拡大を行う操作を行う場合の別の動作は、図６（ｃ）に示すように、親指と人差し指を軸６１０から発散する方向へ動かす動作である。この場合、軸６１０を含む１つの平面を決めたときに、人差し指は矢印Ｖ６１１に示すように軸６１０から発散する方向（例えば、軸６１０の法線方向）へ動かされ、親指も同様に矢印Ｖ６１２に示すように軸６１０から発散する方向へ動かされる。
【００４３】
これらのことから、一平面上にない前面タッチパネル１０６と背面タッチパネル１０７に対する所定の操作を表示の拡大操作、縮小操作としてそれぞれ検知する方法としては、以下のように行うことができる。即ち、前面タッチパネル１０６に対する操作では、人差し指を矢印Ｖ６０５，Ｖ６１１の方向へ動かしてタッチ点を矢印Ｖ６０５，Ｖ６１１の方向へスライドさせる操作を拡大操作と規定する。また、背面タッチパネル１０７に対する操作では、親指を矢印Ｖ６０６，Ｖ６１２の方向へ動かしてタッチ点を矢印Ｖ６０６，Ｖ６１２の方向へスライドさせる操作を拡大操作と規定する。
【００４４】
そして、これらの拡大操作を示す方向の逆の方向へ人差し指と親指を動かしてタッチ点をスライドさせる操作を縮小操作と規定する。つまり、軸６１０の延伸方向の略逆方向と軸６１０へ収束する方向とを、縮小操作を行う方向と規定すればよい。なお、２つのタッチ点のスライド量と画面領域２０３での表示拡大倍率との関係を示すデフォルト値は、操作性を考慮して予め設定されて記憶装置１０８に記憶されているが、ユーザが自由に調整可能な構成となっていてもよい。
【００４５】
ユーザがカメラ本体１０１を把持する態様は、個人差や撮像状況、体調等によって変わることがあるため、機器の設計上は、拡大又は縮小を示すと判定される移動方向を狭い領域（角度）に限定することは適切でない。そこで、例えば、タッチ点の移動方向のうち拡大又は縮小を示すものと規定された方向への移動成分をどの程度含むかという指標で、拡大操作か縮小操作かを判別するようにすることが望ましい。上述した方法で拡大・縮小操作を検知する場合、指のタッチ点間の相対距離を検知する必要がないため、タッチパネルの配置、設計の自由度が大きくなる。
【００４６】
以上、本発明の実施形態についてデジタルカメラ取り上げて説明したが、２枚の平面タッチパネルを配置して２本の指によりタッチ操作を行うことが可能な機器は、デジタルカメラに限定されない。そこで次に、本発明の適用が可能な別の機器の例としてのカムコーダとヘッドマウントディスプレイ（以下「ＨＭＤ」と記す）について説明する。
【００４７】
図７は、カムコーダ７００の概略構成と、カムコーダ７００を右手で把持した状態を示す斜視図である。カムコーダ７００は、本体部７０１と、本体部７０１の前面に配置された撮像レンズ７０２と、本体部７０１の一方の側面に配置された可動式ディスプレイ７０５を備える。ユーザが右手で本体部７０１を把持したときに、本体部７０１の上面において人差し指の先端部が置かれる位置には第１のタッチパネル７０３が配置され、本体部７０１の背面において親指の先端部が置かれる位置には第２のタッチパネル７０４が配置されている。
【００４８】
図６での説明に従い、親指と人差し指のなす角を略二等分するベクトルを延長した軸７１０は、本体部７０１の下側から上側へ向かうように定義される。ユーザはタッチ点Ｐ７２１を矢印Ｖ７２１で示すように軸７１０から発散する方向へスライドさせるように人差し指を動かす。これと同時に、ユーザは、タッチ点Ｐ７２２を矢印Ｖ７２２で示すように軸７１０の延伸方向と略同じ方向へスライドさせるように親指を動かす。これにより、可動式ディスプレイ７０５での表示画像の拡大表示を行うことができる。なお、タッチ点Ｐ７２１，Ｐ７２２をそれぞれ矢印Ｖ７２１，Ｖ７２２の反対方向にスライドさせるように人差し指と親指を動かすことにより、可動式ディスプレイ７０５での表示画像の縮小表示を行うことができる。
【００４９】
図８は、把持型のＨＭＤ８００の概略構成と、ＨＭＤ８００を右手で操作している状態を示す斜視図である。ＨＭＤ８００は、接眼レンズ８０１、第１のタッチパネル８０２，第２のタッチパネル８０３を備える。ユーザはＨＭＤ８００を両手又は片手で把持して接眼レンズ８０１を覗き込むことで、表示画面８０５に表示された映像等を鑑賞することができる。第１のタッチパネル８０２は、ＨＭＤ８００の上面右側の、右手の人差し指の先端部が置かれる位置に配置されており、第２のタッチパネル８０３は、ＨＭＤ８００の下面右側の、親指の先端部が置かれる位置に配置されている。
【００５０】
図６での説明に従い、親指と人差し指のなす角を略二等分するベクトルを延長した軸８１０は、ＨＭＤ８００を略水平に横切るように（上下面と略平行に）定義される。ユーザは、タッチ点Ｐ８２１を矢印Ｖ８２１で示すように軸８１０の延伸方向と略同じ方向へスライドさせるように人差し指を動かす。これと同時に、ユーザは、タッチ点Ｐ８２２を矢印Ｖ８２２で示すように軸８１０の延伸方向と略同じ方向へスライドさせるように親指を動かす。これにより、表示画面８０５に表示される画像の連続的な拡大表示を行うことができる。
【００５１】
以上の説明の通り、本発明によれば、電子機器を把持した手の２本の指で２つのタッチパネルのタッチ操作を行う場合に、電子機器を把持している手を放すことなく、誤操作の誘発を抑制して、タッチ操作による連続的な動作指示を行うことが可能になる。
【００５２】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。
【００５３】
例えば、デジタルカメラでの各種制御はシステム制御部１０４が行うものとしたが、複数のハードウェア（例えば、複数のプロセッサや回路）が処理を分担することで、デジタルカメラの全体制御を行ってもよい。
【００５４】
また、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線又は無線通信を介して受信して制御装置側で表示することができるようにしてもよい。
【００５５】
更に、上記説明では、撮像装置（デジタルカメラ）を例に本発明について説明したが、本発明は、撮像装置に限られず、タッチ入力可能な表示制御装置を備える機器であれば、適用が可能である。例えば、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー等に適用が可能である。
【符号の説明】
【００５６】
１０１    カメラ本体
１０４    システム制御部
１０５    表示装置
１０６    前面タッチパネル
１０７    背面タッチパネル
２０１    グリップ部
２０２    表示画面
２０５    カーソル
７００    カムコーダ
７０３，８０２    第１のタッチパネル
７０４，８０３    第２のタッチパネル
８００    ヘッドマウントディスプレイ
【図１】
2020027349.tif 000003
【図２】
2020027349.tif 000004
【図３】
2020027349.tif 000005
【図４】
2020027349.tif 000006
【図５】
2020027349.tif 000007
【図６】
2020027349.tif 000008
【図７】
2020027349.tif 000009
【図８】
2020027349.tif 000010